(57)【要約】【課題】  多くの視聴者に対する調査に基づいて、正確な放送番組などの視聴率を算出する。【解決手段】  移動端末１４４は、ユーザが、ＴＶ・ビデオ１１２に対する番組の視聴・録画のための操作を記憶し、操作情報として、視聴率サーバ４０に対して送信する。視聴率サーバ４０は、放送システム２から取得して放送予定と、移動端末１４４それぞれから受信した捜査上方途に基づいて、番組の視聴率を算出する。さらに、ユーザが、その属性情報を、視聴率サーバ４０に登録すると、視聴率サーバ４０は、提供枠管理サーバ２２からの要求に応じて、この属性情報を用いた解析を行い、年代別・男女別の視聴率などを算出し、提供枠管理サーバ２２に返す。【選択図】図２
2006080840.tif 000002
【特許請求の範囲】
【請求項１】
１つ以上のデータ送信装置と、
データ処理装置と
を有するデータ処理システムであって、
前記データ送信装置それぞれは、
提供される番組の１つ以上を、視聴のために選択する操作を受け入れる操作受入手段と、
前記受け入れられた操作を示す操作データを、前記操作データを処理するデータ処理装置に対して送信する操作データ送信手段と
を有し、
前記データ処理装置は、
前記データ送信装置それぞれから、前記送信された操作データを受け入れる操作データ受入手段と、
前記受け入れられた操作データに基づいて、選択された番組を判定する番組判定手段と
を有し、
前記データ送信装置において、
前記操作受入手段は、前記提供される番組の中から、視聴する番組を選択する選択操作、および、将来の視聴を予約する予約操作、またはこれらのいずれかを受け入れ、
前記操作データ送信手段は、前記受け入れられた選択操作および予約操作またはこれらのいずれかを示す操作データを、前記データ処理装置に対して送信し、
前記データ処理装置において、
前記操作データ受入手段は、前記データ送信装置それぞれから、前記送信された操作データを受け入れ、
前記番組判定手段は、前記受け入れられた操作データに基づいて、前記データ送信装置それぞれにおいて、前記視聴された番組および予約された番組またはこれらのいずれかを判定する
データ処理システム。
【請求項２】
前記データ処理装置は、
前記選択された番組の判定結果に基づいて、前記提供される番組それぞれが視聴された割合を示す視聴率を算出する算出手段
をさらに有する
請求項１に記載のデータ処理システム。
【請求項３】
前記データ処理装置は、
前記提供される番組それぞれが予約された割合を示す予約率を算出する算出手段
をさらに有する
請求項１に記載のデータ処理システム。
【請求項４】
前記データ処理装置は、
前記番組を視聴する１つ以上の主体それぞれの属性を示す属性データを受け入れる属性受入手段
をさらに有し、
前記受け入れられた属性データに基づいて、前記算出された視聴率または予約率に対して所定の解析を行う視聴率解析手段
をさらに有する請求項２または３に記載のデータ処理システム。
【請求項５】
前記データ送信装置は、
前記受け入れられた操作に基づいて、前記受け入れられた操作を示す操作データを生成する操作データ生成手段と、
前記生成された操作データを記憶する操作データ記憶手段と
をさらに含み、
前記データ送信装置の前記操作データ送信手段は、前記記憶された操作データを、前記データ処理装置に対して送信し、
前記データ処理装置は、
前記番組を視聴する１つ以上の主体それぞれの属性を示す属性データを受け入れる属性受入手段
をさらに有し、
前記受け入れられた属性データに基づいて、前記算出された視聴率および予約率またはこれらのいずれかに対して所定の解析を行う視聴率解析手段
をさらに有する請求項１に記載のデータ処理システム。
【請求項６】
前記データ送信装置において、
前記操作受入手段は、前記提供される番組の中から、視聴する番組を選択する選択操作および将来の視聴を予約する予約操作またはこれらのいずれかを少なくとも受け入れ、
前記操作データ送信手段は、前記受け入れられた選択操作および予約操作またはこれらのいずれかを示す操作データを、これらの操作それぞれが行われた時刻を示す時刻データと対応付けて前記データ処理装置に対して送信し、
前記データ処理装置において、
前記操作データ受入手段は、前記データ送信装置それぞれから、前記送信された操作データおよび時刻データとを受け入れ、
前記番組判定手段は、前記提供される番組それぞれと前記番組が提供される時刻それぞれとを対応付ける対応付けデータと、前記受け入れられた操作データおよび時刻データとに基づいて、前記選択された番組を判定する
請求項１〜５のいずれかに記載のデータ処理システム。
【請求項７】
前記番組それぞれには、これらの番組それぞれを提供するための提供枠が設定され、
前記番組それぞれの提供枠に対する入札のために用いられる１つ以上の端末装置と、
前記提供枠に対する入札を行う入札装置であって、
前記番組それぞれの視聴率および予約率またはこれらのいずれかを示す視聴率データを、前記端末装置それぞれに表示する視聴率データ表示手段と、
前記視聴率データ表示の表示に応じて、前記番組それぞれの提供枠に対して、前記端末装置から行われる入札を受け入れる入札受入手段と、
前記入札の結果を判定する入札結果判定手段と
を有する入札装置と
をさらに有する請求項６に記載のデータ処理システム。
【請求項８】
前記番組それぞれは、延長されることがあり、前記番組それぞれの延長部分に対して、前記提供枠がさらに設定され、
前記端末装置は、前記番組それぞれの延長部分に設定された提供枠に対する入札のためにさらに用いられ、
前記入札装置は、番組それぞれの延長部分に設定された提供枠に対する入札をさらに行う
請求項７に記載のデータ処理システム。
【請求項９】
提供される番組の１つ以上を、視聴のために選択する操作を受け入れ、
受け入れられた操作を示す操作データを、前記操作データを処理するデータ処理装置に対して送信する
データ送信方法。
【請求項１０】
提供される番組の１つ以上を、視聴のために選択する操作を受け入れ、
前記受け入れられた操作を示す操作データを受け入れ、
前記受け入れられた操作データに基づいて、選択された番組を判定する
データ処理方法。
【請求項１１】
前記番組それぞれには、これらの番組それぞれを提供するための提供枠が設定され、
前記番組それぞれの視聴率および予約率またはこれらのいずれかを示す視聴率データを表示し、
前記視聴率データ表示の表示に応じて、前記番組それぞれの提供枠に対して行われる入札を受け入れ、
前記入札の結果を判定する
請求項１０に記載のデータ処理方法。
【請求項１２】
提供される番組の１つ以上を、視聴のために選択する操作を受け入れるステップと、
受け入れられた操作を示す操作データを、前記操作データを処理するデータ処理装置に対して送信するステップと
をコンピュータに実行させるプログラム。
【請求項１３】
提供される番組の１つ以上を、視聴のために選択する操作を受け入れるステップと、
前記受け入れられた操作を示す操作データを受け入れるステップと、
前記受け入れられた操作データに基づいて、選択された番組を判定するステップと
をコンピュータに実行させるプログラム。
【請求項１４】
前記番組それぞれには、これらの番組それぞれを提供するための提供枠が設定され、
前記番組それぞれの視聴率および予約率またはこれらのいずれかを示す視聴率データを表示するステップと、
前記視聴率データ表示の表示に応じて、前記番組それぞれの提供枠に対して行われる入札を受け入れるステップと、
前記入札の結果を判定するステップと
をさらにコンピュータに実行させる請求項１３に記載のプログラム。
【発明の詳細な説明】
【技術分野】
【０００１】
本発明は、放送番組の視聴率の算出などを行うデータ処理システムおよびその方法に関する。
【背景技術】
【０００２】
例えば、特許文献１および特許文献２は、録画視聴を考慮して放送番組の視聴率を算出する方法を開示する。
また、例えば、特許文献３は、携帯電話などの移動体通信端末を用いた番組選択や録画予約から、視聴率を算出する方法を開示する。
しかしながら、これらの文献のいずれも、番組選択などのために携帯端末に対して行われた一連の操作を、視聴率の算出などのために送信することを開示していない。
また、例えば、非特許文献１は、現状、放送番組の視聴率調査がどのようになされているかを開示する。
しかしながら、非特許文献１によると、視聴率算出のための調査対象となる視聴者数は、実際の視聴者数全体からすると非常に少なく、また、視聴率は、放送エリアごとに算出されるにもかかわらず、必ずしも全ての放送エリアの視聴者数に対する調査は行われていない。
【特許文献１】特開２００１−３２０７４３
【特許文献２】特開２００４−１２９２４５
【特許文献３】特開２００２−１３５８１０
【非特許文献１】http://www.videor.co.jp/rating/wh/
【発明の開示】
【発明が解決しようとする課題】
【０００３】
本発明は、上述した背景からなされたものであり、多くの視聴者に対する調査に基づいて、正確な放送番組などの視聴率を算出することができるデータ処理システムおよびその方法を提供することを目的とする。
また、本発明は、さらに柔軟で便利な放送業務の運営を可能とするデータ処理システムおよびその方法を提供することを目的とする。
【課題を解決するための手段】
【０００４】
［データ処理システム］
また、本発明にかかるデータ処理システムは、１つ以上のデータ送信装置と、データ処理装置とを有するデータ処理システムであって、前記データ送信装置それぞれは、提供される番組の１つ以上を、視聴のために選択する操作を受け入れる操作受入手段と、前記受け入れられた操作を示す操作データを、前記操作データを処理するデータ処理装置に対して送信する操作データ送信手段とを有し、前記データ処理装置は、前記データ送信装置それぞれから、前記送信された操作データを受け入れる操作データ受入手段と、前記受け入れられた操作データに基づいて、選択された番組を判定する番組判定手段とを有し、前記データ送信装置において、前記操作受入手段は、前記提供される番組の中から、視聴する番組を選択する選択操作、および、将来の視聴を予約する予約操作、またはこれらのいずれかを受け入れ、前記操作データ送信手段は、前記受け入れられた選択操作および予約操作またはこれらのいずれかを示す操作データを、前記データ処理装置に対して送信し、前記データ処理装置において、前記操作データ受入手段は、前記データ送信装置それぞれから、前記送信された操作データを受け入れ、前記番組判定手段は、前記受け入れられた操作データに基づいて、前記データ送信装置それぞれにおいて、前記視聴された番組および予約された番組またはこれらのいずれかを判定する。
【０００５】
好適には、前記データ処理装置は、前記選択された番組の判定結果に基づいて、前記提供される番組それぞれが視聴された割合を示す視聴率を算出する算出手段をさらに有する。
【０００６】
好適には、前記データ処理装置は、前記提供される番組それぞれが予約された割合を示す予約率を算出する算出手段をさらに有する。
【０００７】
好適には、前記データ処理装置は、前記番組を視聴する１つ以上の主体それぞれの属性を示す属性データを受け入れる属性受入手段をさらに有し、前記受け入れられた属性データに基づいて、前記算出された視聴率に対して所定の解析を行う視聴率解析手段をさらに有する。
【０００８】
好適には、前記データ送信装置は、前記受け入れられた操作に基づいて、前記受け入れられた操作を示す操作データを生成する操作データ生成手段と、前記生成された操作データを記憶する操作データ記憶手段とをさらに含み、前記データ送信装置の前記操作データ送信手段は、前記記憶された操作データを、前記データ処理装置に対して送信し、前記データ処理装置は、前記番組を視聴する１つ以上の主体それぞれの属性を示す属性データを受け入れる属性受入手段をさらに有し、前記受け入れられた属性データに基づいて、前記算出された視聴率および予約率またはこれらのいずれかに対して所定の解析を行う視聴率解析手段をさらに有する。
【０００９】
好適には、前記データ送信装置において、前記操作受入手段は、前記提供される番組の中から、視聴する番組を選択する選択操作および将来の視聴を予約する予約操作またはこれらのいずれかを少なくとも受け入れ、前記操作データ送信手段は、前記受け入れられた選択操作および予約操作またはこれらのいずれかを示す操作データを、これらの操作それぞれが行われた時刻を示す時刻データと対応付けて前記データ処理装置に対して送信し、前記データ処理装置において、前記操作データ受入手段は、前記データ送信装置それぞれから、前記送信された操作データおよび時刻データとを受け入れ、前記番組判定手段は、前記提供される番組それぞれと前記番組が提供される時刻それぞれとを対応付ける対応付けデータと、前記受け入れられた操作データおよび時刻データとに基づいて、前記選択された番組を判定する。
【００１０】
好適には、前記番組それぞれには、これらの番組それぞれを提供するための提供枠が設定され、前記番組それぞれの提供枠に対する入札のために用いられる１つ以上の端末装置と、前記提供枠に対する入札を行う入札装置であって、  前記番組それぞれの視聴率および予約率またはこれらのいずれかを示す視聴率データを、前記端末装置それぞれに表示する視聴率データ表示手段と、前記視聴率データ表示の表示に応じて、前記番組それぞれの提供枠に対して、前記端末装置から行われる入札を受け入れる入札受入手段と、前記入札の結果を判定する入札結果判定手段とを有する入札装置とをさらに有する。
【００１１】
好適には、前記番組それぞれは、延長されることがあり、前記番組それぞれの延長部分に対して、前記提供枠がさらに設定され、前記端末装置は、前記番組それぞれの延長部分に設定された提供枠に対する入札のためにさらに用いられ、前記入札装置は、番組それぞれの延長部分に設定された提供枠に対する入札をさらに行う。
【００１２】
［データ処理方法］
また、本発明にかかる第１のデータ処理方法は、提供される番組の１つ以上を、視聴のために選択する操作を受け入れ、受け入れられた操作を示す操作データを、前記操作データを処理するデータ処理装置に対して送信する。
【００１３】
また、本発明にかかる第２のデータ処理方法は、提供される番組の１つ以上を、視聴のために選択する操作を受け入れ、前記受け入れられた操作を示す操作データを受け入れ、前記受け入れられた操作データに基づいて、選択された番組を判定する。
【００１４】
好適には、前記番組それぞれには、これらの番組それぞれを提供するための提供枠が設定され、前記番組それぞれの視聴率および予約率またはこれらのいずれかを示す視聴率データを表示し、前記視聴率データ表示の表示に応じて、前記番組それぞれの提供枠に対して行われる入札を受け入れ、前記入札の結果を判定する。
【００１５】
［プログラム］
また、本発明にかかる第１のプログラムは、提供される番組の１つ以上を、視聴のために選択する操作を受け入れるステップと、受け入れられた操作を示す操作データを、前記操作データを処理するデータ処理装置に対して送信するステップとをコンピュータに実行させる。
【００１６】
また、本発明にかかる第２のプログラムは、提供される番組の１つ以上を、視聴のために選択する操作を受け入れるステップと、前記受け入れられた操作を示す操作データを受け入れるステップと、前記受け入れられた操作データに基づいて、選択された番組を判定するステップとをコンピュータに実行させる。
【発明の効果】
【００１７】
本発明によれば、多くの視聴者に対する調査に基づいて、正確な放送番組などの視聴率を算出することができる。
また、本発明によれば、さらに柔軟で便利な放送業務の運営が可能となる。
【発明を実施するための最良の形態】
【００１８】
［本発明の背景］
本発明の実施形態の説明に先立ち、その理解を容易にするために、まず、本発明がなされるに至った背景を説明する。
図１は、ある放送予定に生じる変更を例示する図であって、（Ａ）は、ある放送番組が延長された場合を例示し、（Ｂ）は、特別番組が放送される場合を例示する。
【００１９】
例えば、図１（Ａ）の左側に示すように、あるチャンネルＵを介して放送を行う放送局（放送局Ｕ）において、ある日（Ｘ年Ｙ月Ｚ日）、Ａ社により提供される番組Ａが１８：００〜１８：３０に、Ｂ社により提供される番組Ｂが１８：３０〜１９：００に、Ｃ社により提供される番組Ｃが１９：００〜２０：００に、そして、Ｄ社により提供される番組Ｄが２０：００〜２１：００に放送される予定（放送予定）が組まれている場合を考える。
ここで、図１（Ａ）の中央および右側に示すように、番組Ｃが、例えば、野球・サッカーなどのスポーツ試合の中継番組であるときには、試合の時間が長引くと、番組Ｃの放送時間が延長され、新たな提供枠ｃが発生することがありうる。
【００２０】
このようなとき、図１（Ａ）の中央に示すように、番組Ｃの提供者・Ｃ社が、そのまま、新たな提供枠ｃの提供者となることも考えられる。
しかしながら、番組Ｃの提供者・Ｃ社が、そのまま、新たな提供枠ｃを提供したとしても、放送局Ｕは、提供者・Ｃ社に、新たな提供枠ｃを提供するための費用（提供料）を請求できるとは限らない。
一方、図１（Ａ）右側に例示するように、新たな提供枠ｃについて、新たな提供者・Ｅ社を得ることができれば、放送局Ｕは、新たな提供者Ｅ社から新たな提供料収入を得ることができる。
【００２１】
また、例えば、図１（Ｂ）の左側に示すように、あるチャンネルＶを介して放送を行う放送局（放送局Ｖ）において、ある日（Ｘ’年Ｙ’月Ｚ’日）からその翌日にかけて、Ｆ社により提供される番組Ｆが２３：００〜２３：３０に、Ｇ社により提供される番組Ｇが２３：３０〜００：００に、Ｈ社により提供される番組Ｈが００：００〜０１：００に、そして、Ｉ社により提供される番組Ｉが０１：００〜０２：００に放送され、放送が終了される予定が組まれている場合を考える。
ここで、図１（Ｂ）の中央および右側に示すように、番組Ｉの終了後、例えば、突発的な事件を報道するための特別番組Ｊが、急遽、放送されることになって、特別番組Ｊの提供枠ｊが発生することがある。
【００２２】
このようなとき、図１（Ｂ）の中央に示すように、番組Ｉの提供者・Ｉ社が、そのまま、新たな提供枠ｊの提供者となることも考えられる。
しかしながら、番組延長のときと同様に、番組Ｉの提供者・Ｉ社が、そのまま、新たな提供枠ｊを提供したとしても、放送局Ｖは、提供者・Ｉ社に、提供枠ｊについての提供料を請求できるとは限らない。
一方、図１（Ｂ）右側に例示するように、新たな提供枠ｊにつても、提供枠ｃのときと同様に、新たな提供者・Ｋ社を得ることができれば、放送局Ｕは、新たな提供者Ｋ社から新たな提供料収入を得ることができる。
【００２３】
なお、このような新たな提供枠は、番組延長・特別番組が生じたとき以外に、何らかの理由で、ある番組から提供者が降りたときなどにも発生しうる。
以下、図２などを参照して説明する本発明にかかるネットワークシステム１は、技術文献に示した背景から、できるだけ多くの視聴者に対する調査の結果から正確な番組視聴率を得たり、その解析を行うことができるように工夫されている。
【００２４】
さらに、ネットワークシステム１は、ここで述べたような背景から、番組放送予定の変更に伴って、新たな提供枠が発生したときに、新たな提供枠に対する新たな提供者を速やかに得ることができるようにして、放送局が、さらに収益を上げることができ、また、柔軟に放送業務を運営することができるように工夫されている。
また、ネットワークシステム１は、新たな提供枠に対する提供者を募るときに、その提供枠の視聴率や、番組録画が予約される割合（予約率）を、提供者になりうる人に表示して、その応募の参考とすることができるように工夫されている。
【００２５】
［ネットワークシステム１］
図２は、本発明にかかるネットワークシステム１の構成を例示する図である。
図２に示すように、ネットワークシステム１は、番組提供システム１８−１〜１８−ｎと、移動体通信システム１４−１〜１４−ｎとが接続されて構成され、さらに、リモコン機能付きのＴＶ・ビデオ１１２−１〜１１２−ｎを含む。
【００２６】
番組提供システム１８−１〜１８−ｎは、放送システム２−１〜２−ｎ、オンラインのＴＶ・ビデオ装置１１０−１〜１１０−ｎ、広告主端末２８−１〜２８−ｎ、広告会社端末３２−１〜３２−ｎ、ショップ端末３４−１〜３４−ｎ、視聴率サーバ４０−１〜４０−ｎおよびオークションサーバ４８−１〜４８−ｎ（オークションサーバ４８−１〜４８−ｎは、視聴率サーバ４０に包含されうる）が、ＬＡＮ、ＷＡＮあるいはインターネットなどのネットワーク１００−１〜１００−ｎを介して接続されて構成される。
放送システム２−１〜２−ｎはそれぞれ、放送設備２００、放送設備操作端末２０２および提供枠管理サーバ２２などから構成される。
【００２７】
移動体通信システム１４−１〜１４−ｎは、ＴＶ・ビデオ１１２に対するリモコン操作が可能な携帯電話機・ＰＤＡ(Personal Digital Assistant)などの移動端末１４４−１〜１４４−ｎおよび番組の視聴が可能なＴＶ機能付きの移動端末１４６−１〜１４６−ｎが、移動体ネットワーク１４０−１〜１４０−ｎを介して接続されて構成される。
移動体通信システム１４０−１〜１４０−ｎは、ゲートウェイサーバ（ＧＷＳ）１４２−１〜１４２−ｎを介して、番組提供システム１８−１〜１８−ｎのネットワーク１００−１〜１００−ｎに接続される。
【００２８】
なお、以下、番組提供システム１８−１〜１８−ｎなど、ネットワークシステム１において、複数、存在しうる構成部分のいずれかを特定せずに示すときには、単に番組提供システム１８などと示すことがある。
また、以下、ネットワークシステム１において、情報処理および情報通信の主体となる構成部分を、ノードと総称することがある。
【００２９】
［ハードウエア］
図３は、図１に示したネットワークシステム１の各ノードのハードウエアを示す図である。
図３に示すように、ＴＶ・ビデオ装置１１０、ＴＶ・ビデオ１１２、ＧＷＳ１４２、提供枠管理サーバ２２、放送設備２００、放送設備操作端末２０２、広告主端末２８、広告会社端末３２、ショップ端末３４、視聴率サーバ４０およびオークションサーバ４８のコンピュータと関連する構成を示す図である。
図３に示すように、ネットワークシステム１の各ノードのコンピュータと関連する構成部分は、ＣＰＵ１２２およびメモリ１２４などを含む本体１２０、表示装置・キーボード・スピーカなどを含む入出力装置１２６、ネットワーク１００・移動体ネットワーク１４０を介した他のノードとの通信を行う通信装置１２８、および、ＨＤ・ＣＤおよびメモリカードなどの様々な記録媒体１３４に対してデータの記録を行う記録装置１３２を含み、さらに、各ノードの機能を実現するために必要とされる構成部分（機能実現部１３０）を、適宜、含む。
つまり、ネットワークシステム１の各ノードは、それぞれ、他のノードと通信可能なコンピュータとしての構成部分と、各ノードの機能を実現するために必要な構成部分とを含んでいる。
【００３０】
［各ノードの機能実現部１３０など］
放送設備２００は、各放送局において、番組収録・録画・放送などに必要な装置一般を、機能実現部１３０として含む。
移動端末１４４は、ＴＶ・ビデオ１１２に対する操作を示す赤外線信号を送信するための赤外線送信部と、移動体通信を実現するために必要な装置一般とを、機能実現部１３０として含む。
移動端末１４６は、放送システム２により地上波などを介して配信される番組を受信して表示する装置（視聴装置（ＴＶ））と、移動体通信を実現するために必要な装置一般とを、機能実現部１３０として含む。
【００３１】
オンラインのＴＶ・ビデオ装置１１０は、放送システム２により、ネットワーク１００を介して配信される番組を受信して表示するＴＶと、受信した番組を録画する録画装置（録画装置（ビデオ））とを、機能実現部１３０として含む。
リモコン機能付きＴＶ・ビデオ１１２は、放送システム２により地上波などを介して放送・配信される番組を受信して表示するＴＶと、受信した番組を録画するビデオと、移動端末１４４からＴＶ・ビデオで視聴・録画する番組を選択・予約するための操作を示す赤外線信号を受信する赤外線受信部とを、機能実現部１３０として含む。
【００３２】
［移動端末１４４を用いたＴＶ・ビデオ１１２の操作］
ここで、視聴者が、移動端末１４４を用いてＴＶ・ビデオ１１２の操作を説明する。
図４は、図２に示したＴＶ・ビデオ装置１１０，１１２に対する操作と、これらの操作が行われた時刻とを対応付けて例示する図であって、（Ａ）は番組を視聴するための操作を示し、（Ｂ）は番組録画を予約するための操作を示す。
図４（Ａ）に示すように、例えば、ＴＶ・ビデオ装置１１０，１１２は、視聴者により、ＴＶ操作開始のための操作が行われると、ＴＶを起動する。
さらに、ＴＶ・ビデオ装置１１０，１１２は、視聴者により、あるチャンネル（２チャンネル）を選択する操作、および、選択したチャンネルの視聴を実行する操作（２，実行）が行われると、選択された番組を受信してＴＶに表示する。
一連の操作の最後に、ＴＶ・ビデオ装置１１０，１１２は、視聴者により、ＴＶ操作を終了する操作が行われると、ＴＶの動作を停止する。
【００３３】
なお、図４（Ａ）は、視聴者が、ある日（Ｘ年Ｙ月Ｚ日）、
（１）時刻１９時２４分２０秒に、ビデオ操作を開始し、
（２）時刻１９時２５分３８秒に、２チャンネルを選択する操作を行い、
（３）時刻１９時２５分４０秒に、実行操作を行い、
（４）時刻２０時５６分０６秒に、１チャンネルを選択する操作を行い、
（５）時刻２０時５６分０８秒に、実行操作を行い、
（６）時刻２１時１４分３２秒に、８チャンネルを選択する操作を行い、
（７）時刻２１時１４分３３秒に、実行操作を行い、
（８）時刻２１時５７分４８，５０秒に、１０チャンネルを選択する操作を行い、
（９）時刻２１時５７分５１秒に、実行操作を行い、
（１０）時刻２２時４４分０３秒に、ＴＶ操作を終了する操作を行った
場合を示している。
【００３４】
また、図４（Ｂ）に示すように、例えば、ＴＶ・ビデオ装置１１０，１１２は、視聴者により、ビデオ操作開始のための操作が行われると、ビデオを起動する。
さらに、ＴＶ・ビデオ装置１１０，１１２は、視聴者により、番組予約を開始する操作（２）、あるチャンネル（６チャンネル）を選択する操作（６）、選択したチャンネルを確定する操作（実行）、録画開始時刻を指定し、確定する操作（１，９，０，０（１９時００分を示す），実行）、および、録画終了時刻を指定し、確定する操作（２，１，０，０（２１時００分を示す），実行）が行われると、これらの操作に従って、選択されたチャネルで、録画開始時間から録画終了時間までに放送・配信される番組の録画予約を受け入れる。
一連の操作の最後に、ＴＶ・ビデオ装置１１０，１１２は、視聴者により、ビデオ操作を終了する操作が行われると、ビデオの動作を停止する。
ＴＶ・ビデオ装置１１０，１１２は、受け入れた録画予約に従って、番組の録画を行う。
【００３５】
なお、図４（Ｂ）は、視聴者が、ある日（Ｘ’年Ｙ’月Ｚ’日）、
（１）時刻１０時０６分５４秒に、ＴＶ操作を開始し、
（２）時刻１０時０７分０６秒に、録画予約を開始する操作を行い、
（３）時刻１０時０７分０７秒に、実行操作を行い、
（４）時刻１０時０７分１９秒に、６チャンネルを選択する操作を行い、
（５）時刻１０時０７分２１秒に、実行操作を行い、
（６）時刻１０時０７分４３秒〜５１秒に、１９時００分を録画開始時刻に指定する操作を行い、
（７）時刻１０時０７分５３秒に、実行操作を行い、
（８）時刻１０時０８分１１秒〜２８秒に、２１時００分を録画終了時刻に指定する操作を行い、
（９）時刻１０時０８分３０秒に、実行操作を行い、
（１０）時刻１０時０８分３６秒に、ビデオ操作を終了する操作を行った
場合を示している。
【００３６】
［各ノードの処理］
以下、ネットワークシステム１の各ノードで動作するソフトエアを説明する。
以下の各ソフトウエアは、例えば、記録媒体１３４（図３）を介して各ノードに供給され、メモリ２２にロードされ、ＯＳ（図示せず）上で、各ノードのハードウエアを具体的に利用して実行される。
【００３７】
［ＧＷプログラム１５０］
図５は、図２に示した移動体通信システム１４のＧＷＳ１４２において実行されるＧＷプログラム１５０を示す図である。
図５に示すように、ＧＷプログラム１５０は、第１の通信処理部１５２、方式変換部１５４および第２の通信処理部１５６から構成される。
ＧＷプログラム１５０は、これらの構成部分により、移動端末１４４，１４６から受信したデータを、プロトコル変換して、番組提供システム１８の各ノードに対して送信する。
また、逆に、ＧＷプログラム１５０は、番組提供システム１８の各ノードから受信したデータを、移動端末１４４，１４６に対して送信する。
【００３８】
第１の通信処理部１５２は、移動体ネットワーク１４０を介して、移動端末１４４，１４６からのデータを受信し、受信したデータを、方式変換部１５４に対して出力する。
また、第１の通信処理部１５２は、方式変換部１５４から入力されたデータを、移動体ネットワーク１４０を介して、移動端末１４４，１４６に対して送信する。
【００３９】
なお、移動体通信システム１４と移動体ネットワーク１４０との間の回線速度は、一般に、番組提供システム１８の各ノードとネットワーク１００との間の回線速度よりも低速であり、また、移動端末１４４，１４６の情報処理能力は、一般に、番組提供システム１８のノード（提供枠管理サーバ２２など）の情報処理能力よりも低い。
第１の通信処理部１５２は、データを圧縮したり、独自のプロトコルを用いたりして、このような異なるネットワークの間に存在する回線速度・情報処理能力の差を調整するための処理を、さらに行う。
【００４０】
方式変換部１５４は、第１の通信処理部１５２から入力された移動体通信システム１４のプロトコルのデータを、番組提供システム１８のプロトコル（例えばＨＴＴＰ（HyperText Transfer Protocol））のデータに変換し、第２の通信処理部１５６に対して出力する。
また、方式変換部１５４は、第２の通信処理部１５６から入力された番組提供システム１８のプロトコルのデータを、移動体通信システム１４のプロトコルのデータに変換し、第１の通信処理部１５２に対して出力する。
【００４１】
第２の通信処理部１５６は、方式変換部１５４から入力されるデータを、ネットワーク１００を介して、番組提供システム１８の各ノードに対して送信する。
また、第２の通信処理部１５６は、番組提供システム１８の各ノードからネットワーク１００を介してデータを受信し、受信したデータを、方式変換部１５４に対して出力する。
【００４２】
［端末プログラム１６］
図６は、図２に示したオンラインのＴＶ・ビデオ装置１１０および移動端末１４４，１４６において実行される端末プログラム１６を示す図である。
図７は、図６に示した端末プログラム１６の送信・受信処理１６４が管理する属性情報を示す図である。
図６に示すように、端末プログラム１６は、端末制御部１６０、ユーザインターフェース（ＵＩ）部１６２、送信・受信処理１６４、視聴・予約操作受入部１６６、属性情報管理部１６８、操作情報管理部１７２、操作情報データベース（操作情報ＤＢ）１７４、操作・属性情報送信部１７６およびＴＶ・ビデオ操作部１７８から構成される。
なお、図６に点線で示すように、図７を参照して後述する属性情報のデータ量が少ない場合には、属性情報を記憶するデータベース（属性情報ＤＢ１７０）が、端末プログラム１６内に設けられる必要は特にないが、属性情報のデータ量が多い場合および属性情報が複雑な場合などには、属性情報ＤＢ１７０が、必要とされることがある。
【００４３】
図８は、図６に示した端末プログラム１６の操作情報管理部１７２が管理する操作情報を示す図である。
これらの構成部分により、ＴＶ・ビデオ装置１１０において、端末プログラム１６は、ユーザの入出力装置１２６（図３）に対する操作に従って、ＴＶ・ビデオ装置１１０内のＴＶおよびビデオを操作し、さらに、ＴＶおよびビデオに対する操作を示す操作情報（図８を参照して後述）、および、ＴＶ・ビデオ装置１１０を用いる視聴者の属性を示す属性情報（図７）を作成し、視聴率サーバ４０に対して送信する。
ＴＶ機能付きの移動端末１４６において、端末プログラム１６は、これらの構成部分により、移動端末としての処理を行い、移動端末１４６に付されたＴＶを操作し、さらに、操作情報・属性情報を作成し、視聴率サーバ４０に対して送信する。
また、移動端末１４４において、端末プログラム１６は、移動端末としての処理を行い、赤外線信号などを介したＴＶ・ビデオ１１２の操作を行い、さらに、操作情報・属性情報を作成し、視聴率サーバ４０に対して送信する。
【００４４】
なお、ＴＶ・ビデオ装置１１０、移動端末１４４，１４６のいずれを用いても、以下に説明する本発明にかかる視聴率などの算出が可能である。
しかしながら、説明の重複を防ぎ、説明を明確化し、理解しやすくするために、以下、ネットワークシステム１において、移動端末１４４によるＴＶ・ビデオ１１２の操作に基づいて、視聴率などが算出される場合について詳細を説明する。
【００４５】
移動端末１４４において動作する端末プログラム１６において、ＵＩ部１６２は、入出力装置１２６（図３）に対するユーザ（視聴者）の操作を受け入れ、端末プログラム１６の他の構成部分に対して出力する。
また、ＵＩ部１６２は、送信・受信処理１６４により受信されたデータなどを、入出力装置１２６に対して表示・出力する。
【００４６】
送信・受信処理１６４は、移動端末１４４と、他のノードとの間の通信のために必要な処理を行う。
端末制御部１６０は、ＵＩ部１６２を介して入力されるユーザ（視聴者）の操作、および、移動体ネットワーク１４０から入力されるデータに従って、端末プログラム１６の各構成部分の動作を制御する。
【００４７】
属性情報管理部１６８は、ＵＩ部１６２が受け入れたユーザによる属性情報作成のための操作に従って、属性情報を作成し、記憶する（属性情報ＤＢ１７０があるときには、属性情報管理部１６８は、属性情報を属性情報ＤＢ１７０に記憶する）。
属性情報管理部１６８が作成する属性情報には、図７に示すように、移動端末１４４のユーザの生年月日、性別、住所、職業およびその他ユーザの趣味などが含まれる。
つまり、属性情報には、ある番組の年代ごとの視聴率、ある番組の性別ごとの視聴率、ある番組の地域ごとの視聴率など、視聴率の解析のために有効に用いられ得る情報が含まれている。
属性情報管理部１６８は、記憶した属性情報を、要求に応じて、操作・属性情報送信部１７６に対して出力する。
【００４８】
視聴・予約操作受入部１６６は、ＵＩ部１６２から入力されるユーザの操作に従って、図１（Ａ），（Ｂ）に操作内容として例示したようなＴＶ・ビデオ１１２を操作するためのデータを生成し、操作情報管理部１７２およびＴＶ・ビデオ操作部１７８に対して出力する。
ＴＶ・ビデオ操作部１７８は、視聴・予約操作受入部１６６から入力されるデータを、機能実現部１３０（図３）に対して出力し、ＴＶ・ビデオ１１２に対して、赤外線信号などの形式で送信させる。
【００４９】
操作情報管理部１７２は、視聴・予約操作受入部１６６から入力されるデータを受け入れ、操作情報を作成し、操作情報ＤＢ１７４に記憶する。
図８に示すように、操作情報管理部１７２が作成する操作情報には、図１（Ａ），（Ｂ）に例示したように、ユーザがＴＶ・ビデオ１１２に対して行った全ての操作と、これらの操作が行われた時刻とが、対応付けられて含まれる。
操作情報管理部１７２は、操作情報ＤＢ１７４に記憶された操作情報を、要求に応じて読み出し、操作・属性情報送信部１７６に対して出力する。
【００５０】
操作・属性情報送信部１７６は、属性情報管理部１６８から入力される属性情報（図７）および操作情報管理部１７２から入力される操作情報（図８）に、移動端末１４４の識別子（端末ＩＤ）を付して、送信・受信処理１６４に対して出力し、視聴率サーバ４０（図２）に対して送信させる。
なお、操作・属性情報送信部１７６が、属性情報および操作情報を、移動体ネットワーク１４０に対して送信させるタイミングは任意であって、操作・属性情報送信部１７６は、これらの情報を、同時に送っても、一方ずつ送ってもよい。
例えば、操作・属性情報送信部１７６は、属性情報および操作情報に変更があったときに、視聴率サーバ４０からのポーリングに応じて、予め定められた時刻に、ランダムに選択される時刻に、あるいは、移動端末１４４の電源が入れられたときに、これらの情報を視聴率サーバ４０に送る。
【００５１】
以下、端末プログラム１６の動作を説明する。
図９は、図６に示した端末プログラム１６の動作（Ｓ１０）を示すフローチャートである。
ステップ１００（Ｓ１００）において、操作・属性情報送信部１７６は、属性情報・操作情報を、視聴率サーバ４０に送信するための条件（情報の変更・時刻など）が揃ったか否かを判断する。
端末プログラム１６は、条件が揃ったときにはＳ１０２の処理に進み、これ以外のときにはＳ１０４の処理に進む。
ステップ１０２（Ｓ１０２）において、操作・属性情報送信部１７６は、送信・受信処理１６４などを介して、視聴率サーバ４０に対して、属性情報・操作情報（図７，図８）を送信する。
【００５２】
ステップ１０４（Ｓ１０４）において、端末制御部１６０は、他のノードあるいは移動端末１４４の入出力装置１２６（図３）から、データが入力されたか否かを判断する。
端末プログラム１６は、データが入力されたときにはＳ１０６の処理に進み、これ以外のときにはＳ１００の処理に戻る。
ステップ１０６（Ｓ１０６）において、端末制御部１６０は、入力されたデータを受け入れる。
ステップ１０８（Ｓ１０８）において、端末制御部１６０は、入力されたデータが、図１（Ａ），（Ｂ）に例示したようなＴＶ・ビデオ１１２のＴＶ・ビデオに対する操作を示すか否かを判断する。
端末プログラム１６は、入力されたデータが、ＴＶ・ビデオ１１２のＴＶまたはビデオに対する操作を示すときにはＳ１１０の処理に進み、これ以外のときにはＳ１２０の処理に進む。
【００５３】
ステップ１１０（Ｓ１１０）において、端末制御部１６０は、受け入れたデータが、ＴＶ・ビデオに対する操作の実行あるいは終了を示すか否かを判断する。
端末プログラム１６は、受け入れたデータが、ＴＶ・ビデオに対する操作の実行・終了を示すときにはＳ１１２の処理に進み、これ以外のときにはＳ１０４の処理に戻る。
ステップ１１２（Ｓ１１０）において、端末制御部１６０は、視聴・予約操作受入部１６６に対して、受け入れたデータを、操作情報として出力する。
視聴・予約操作受入部１６６は、受け入れた操作情報を、操作情報管理部１７２に対して出力し、操作情報管理部１７２は、視聴・予約操作受入部１６６から入力された操作情報を、操作情報ＤＢ１７４に記憶する。
ステップ１１４（Ｓ１１４）において、視聴・予約操作受入部１６６は、端末制御部１６０から入力された操作情報が示す操作を行うための信号を、ＴＶ・ビデオ操作部１７８などを介してＴＶ・ビデオ１１２に対して送信する。
【００５４】
ステップ１２０（Ｓ１２０）において、端末制御部１６０は、入力されたデータが、図７に例示したようなユーザ（視聴者）の属性情報を登録あるいは変更するための操作であるか否かを判断する。
端末プログラム１６は、入力されたデータが、属性情報の登録・変更のための操作を示すときにはＳ１２２の処理に進み、これ以外のときにはその他の処理（Ｓ１３０；端末としての機能を実現する処理など）に進む。
【００５５】
ステップ１２２（Ｓ１２２）において、端末制御部１６０は、受け入れたデータが、属性情報の登録・変更を終了する動作であるか否かを判断する。
端末プログラム１６は、受け入れたデータが、ＴＶ・ビデオに対する操作の実行・終了を示すときにはＳ１２４の処理に進み、これ以外のときにはＳ１０４の処理に戻る。
ステップ１２４（Ｓ１２４）において、端末制御部１６０は、属性情報管理部１６８に対して、受け入れたデータを出力する。
属性情報管理部１６８は、受け入れたデータから、新たな属性情報を生成する。
ステップ１２６（Ｓ１２６）において、属性情報管理部１６８は、生成した属性情報を記憶する。
【００５６】
［放送設備２００］
放送設備２００は、各放送局において予め設定された放送予定に従って、あるいは、放送設備操作端末２０２から受け入れた放送予定の変更（番組延長・特別番組など；図１（Ａ），（Ｂ）参照）を、放送設備操作端末２０２から受け入れ、変更された放送予定に従って、番組を放送・配信する。
また、放送設備２００は、放送予定およびその変更を、提供枠管理サーバ２２に対して通知する。
【００５７】
［提供枠管理プログラム２２０］
図１０は、図２に示した提供枠管理サーバ２２上で動作する提供枠管理プログラム２２０を示す図である。
図１０に示すように、提供枠管理プログラム２２０は、ＵＩ部２２２、通信処理部２２４、会計処理部２２６、処理制御部２２８、提供枠管理部２３０、提供枠ＤＢ２３２、オークション要求処理部２３４、オークション結果処理部２３６、広告処理部２３８、視聴率管理部２４０および視聴率ＤＢ２４２から構成される。
【００５８】
提供枠管理プログラム２２０は、これらの構成部分により、放送設備２００から通知された提供枠およびその変更を管理する。
なお、提供枠管理プログラム２２０は、図２に示した広告会社端末３２上においても実行されうるが、以下、説明の具体化および明確化のために、提供枠管理プログラム２２０が、提供枠管理サーバ２２上で実行される場合を具体例とする。
【００５９】
ＵＩ部２２２は、提供枠管理サーバ２２の入出力装置１２６（図３）に対するユーザの操作を受け入れ、提供枠管理プログラム２２０の各構成部分に対して出力する。
また、ＵＩ部２２２は、提供枠管理プログラム２２０の各構成部分などから入力されるデータを、入出力装置１２６に対して出力・表示する。
【００６０】
通信処理部２２４は、提供枠管理プログラム２２０の各構成部分から入力されるデータを、他のノードに対して送信する。
また、通信処理部２２４は、他のノードからデータを受信して、提供枠管理プログラム２２０の各構成部分に対して出力する。
会計処理部２２６は、他の構成部分との間の会計処理（視聴率サーバ４０およびオークションサーバ４８などに対する手数料の支払いなど）を行う。
処理制御部２２８は、ＵＩ部２２２および他のノードなどから入力されるデータに従って、提供枠管理プログラム２２０の各構成部分の処理を制御する。
【００６１】
図１１は、図１０に示した提供枠管理サーバ２２それぞれの提供枠管理部２３０が生成する提供枠情報を示す図である。
提供枠管理部２３０は、放送設備２００から放送予定の通知を受けて、提供枠情報を作成し、提供枠ＤＢ２３２に記憶する。
また、提供枠管理部２３０は、要求に応じて、提供枠ＤＢ２３２に記憶した提供枠情報を、提供枠管理プログラム２２０の他の構成部分および他のノードに対して出力する。
提供枠ＤＢ２３２に記憶される提供枠情報には、図１（Ａ），（Ｂ）に放送予定として例示したようなデータが含まれる。
つまり、提供枠情報には、図１１に示すように、放送システム２（放送局）の識別子（放送局ＩＤ）複数の番組それぞれを示すデータと、番組それぞれの提供者を示すデータと、番組それぞれの放送・配信時刻（開始時刻および終了時刻）を示すデータとが、対応付けられて含まれる。
また、提供枠管理部２３０は、新たな提供枠が生じたときに、その旨をオークション要求処理部２３４に通知し、さらに、その提供枠を示すデータを、オークション要求処理部２３４に対して出力する。
【００６２】
提供枠管理部２３０から、提供枠の発生が通知され、さらに、新たな提供枠を示すデータが入力され、さらに、提供枠管理サーバ２２のユーザが、入出力装置１２６（図３）に対して、オークションの開催を要求するための操作を行うと、オークション要求処理部２３４は、オークションサーバ４８に対して、オークションを要求する。
つまり、このようなときには、オークション要求処理部２３４は、オークションサーバ４８に対して、新たな提供枠を示す情報（番組の内容、番組の視聴率および番組の録画予約率など）およびオークションを示す情報（開催期間および希望落札価格）などを送り、さらに、この新たな提供枠の提供者を、ネットワーク１００に接続された広告主端末２８を用いる広告主から募るネットオークションの開催を、視聴率サーバ４０に対して要求する。
【００６３】
オークション結果処理部２３６は、オークションサーバ４８から新たな提供枠についてのオークションの結果を受け入れ、ＵＩ部２２２を介して、提供枠管理サーバ２２の入出力装置１２６に表示する。
提供枠管理サーバ２２のユーザが、入出力装置１２６（図３）に対して、オークションの結果を受け入れるための操作を行うと、オークション結果処理部２３６は、広告処理部２３８を制御して、新たな提供枠に、オークションにより決まった提供者の広告を入れるための処理などを行う。
【００６４】
視聴率管理部２４０は、入出力装置１２６に対するユーザの操作などに従って、視聴率サーバ４０に対して、放送設備２００により放送・配信された番組内、視聴率算出の目的とする番組を指定して、指定した番組それぞれの視聴率の算出、および、属性情報を用いた視聴率の解析を要求し、この要求に応じて視聴率サーバ４０から返される視聴率およびその解析結果を、視聴率ＤＢ２４２に記憶する。
また、視聴率管理部２４０は、要求に応じて、視聴率ＤＢ２４２に記憶した視聴率およびその解析結果の入出力装置１２６に対する表示、あるいは、放送設備２００に対する出力などを行う。
【００６５】
図１２は、図１０に示した提供枠管理プログラム２２０の動作（Ｓ１６）を示すフローチャートである。
図１２に示すように、ステップ１６０（Ｓ１６０）において、提供枠管理プログラム２２０の処理制御部２２８は、他のノードから新たなデータが入力されたか、あるいは、提供枠管理サーバ２２（図２）の入出力装置１２６に対するユーザの新たな操作があったか否かを判断する。
提供枠管理プログラム２２０は、データの入力・操作があったときにはＳ１６２の処理に進み、これ以外のときにはＳ１６０の処理に留まる。
ステップ１６２（Ｓ１６２）において、処理制御部２２８は、新たなデータ・操作が、視聴率の算出およびその解析の要求を示すか否かを判断する。
提供枠管理プログラム２２０は、新たなデータ・操作が、視聴率の算出などの要求を示すときにはＳ１６４の処理に進み、これ以外のときにはＳ１６６の処理に進む。
【００６６】
ステップ１６４（Ｓ１６４）において、視聴率管理部２４０は、新たなデータ・操作を受け入れ、受け入れたデータ・操作に従って、視聴率サーバ４０に対して視聴率の算出等を要求する。
ステップ１６６（Ｓ１６６）において、処理制御部２２８は、新たなデータ・操作を受け入れる。
【００６７】
ステップ１８０（Ｓ１８０）において、処理制御部２２８は、新たなデータ・操作が、提供枠情報の登録あるいは変更（図１１）を示すか否かを判断する。
提供枠管理プログラム２２０は、新たなデータ・操作が、提供枠情報の登録・変更を示すときにはＳ１８２の処理に進み、これ以外のときにはＳ２００の処理に進む。
ステップ１８２（Ｓ１８２）において、処理制御部２２８は、提供枠の登録・変更を示すデータを提供枠管理部２３０に対して出力し、提供枠管理部２３０は、新たに登録された提供枠、あるいは、変更された提供枠を、提供枠管理部２３０に記憶させる。
【００６８】
ステップ１８４（Ｓ１８４）において、オークション要求処理部２３４は、オークションを要求するか否かを判断する。
提供枠管理プログラム２２０は、オークションを要求するときにはＳ１８６の処理に進み、これ以外のときにはＳ１８８の処理に進む。
ステップ１８８（Ｓ１８８）において、オークション要求処理部２３４は、オークションサーバ４８に対してオークションを要求する。
ステップ１９０（Ｓ１９０）において、視聴率管理部２４０は、最新の提供枠を、視聴率サーバ４０に対して通知する。
【００６９】
ステップ２００（Ｓ２００）において、処理制御部２２８は、他ノードからの新たなデータが、オークションの結果であるか否かを判断する。
提供枠管理プログラム２２０は、新たなデータが、オークションの結果であるときにはＳ２０２の処理に進み、これ以外のときにはＳ２１０の処理に進む。
ステップ２０２（Ｓ２０２）において、処理制御部２２８は、オークションの結果を、オークション結果処理部２３６に対して出力し、視聴率管理部２４０は、オークションの結果を受け入れて、新たな提供枠の番組に、新たな提供枠の提供者の広告を挿入するなどの処理を行う。
ステップ２０４（Ｓ２０４）において、会計処理部２２６は、オークションの手数料を、オークションサーバ４８に対して支払うための処理を行う。
【００７０】
ステップ２１０（Ｓ２１０）において、処理制御部２２８は、他ノードからの新たなデータが、視聴率の算出結果およびその解析結果であるか否かを判断する。
提供枠管理プログラム２２０は、新たなデータが、視聴率の算出結果などであるときにはＳ２１２の処理に進み、これ以外のときにはその他の処理（Ｓ２２０；ショップ端末３４に対する支払いなど）に進む。
ステップ２１２（Ｓ２１２）において、処理制御部２２８は、視聴率の算出結果などを、視聴率管理部２４０に対して出力し、視聴率管理部２４０は、視聴率の算出結果などを受け入れて、視聴率ＤＢ２４２に記憶する。
ステップ２１４（Ｓ２１４）において、会計処理部２２６は、視聴率の算出などの手数料を、視聴率サーバ４０に対して支払うための処理を行う。
【００７１】
［広告主端末プログラム２８０］
図１３は、図２に示した広告主端末２８上で動作する広告主端末プログラム２８０を示す図である。
図１３に示すように、広告主端末プログラム２８０は、ＵＩ部２２２、通信処理部２２４、会計処理部２２６、メール・ブラウザ部２８２およびオークション入札処理部２９０から構成される。
メール・ブラウザ部２８２は、他のノードとの間で、電子メール、あるいは、ブラウザを利用したデータ伝送などの通信処理を行う。
オークション入札処理部２９０は、オークションサーバ４８が、提供枠のオークションを開催したときに、広告主端末２８の入出力装置１２６に対するユーザの操作などに応じて、提供枠を落札するための入札を行うための処理を行う。
【００７２】
［ショップ端末３４・ショップ端末プログラム３４０］
ショップ端末３４は、例えば、移動端末１４４を、消費者（視聴者）に販売するショップ（携帯端末販売店）において用いられる。
例えば、ショップ端末３４がおかれたショップと、視聴率サーバ４０のユーザとの間で、ショップが、移動端末１４４を、消費者（視聴者）に安価に販売する代償として、一定の金銭が支払われるといった契約がなされる。
つまり、視聴率サーバ４０は、視聴者から、視聴率の算出およびその解析に有用なデータ（操作情報・属性情報）を得ることができる移動端末１４４を、ショップから、消費者に安価に提供させ、そのために必要とされる費用をショップに支払う。
【００７３】
図１４は、図２に示したショップ端末３４上で動作するショップ端末プログラム３４０の構成を示す図である。
図１４に示すように、ショップ端末プログラム３４０は、ＵＩ部２２２、通信処理部２２４、会計処理部２２６およびメール・ブラウザ部２８２から構成される。
ショップ端末プログラム３４０において、会計処理部２２６は、上述のような視聴率サーバ４０とショップ端末３４との間の金銭の授受のために用いられる。
なお、図１４に示すように、ショップ端末プログラム３４０に、移動端末１４４を購入した消費者（視聴者）の属性情報を作成し、視聴率サーバ４０に対して送信する属性情報作成部３４２を追加すると、ショップ端末３４において、移動端末１４４のユーザ（視聴者）の属性情報を得ることができる。
【００７４】
［視聴率サーバプログラム４００・オークションプログラム４８０］
図１５は、図２に示した視聴率サーバ４０上で動作する視聴率サーバプログラム４００を示す図である。
図１６は、図２に示したオークションサーバ４８上で動作するオークションプログラム４８０を示す図である。
図１５に示すように、視聴率サーバプログラム４００は、ＵＩ部２２２、通信処理部２２４、会計処理部２２６、処理制御部４０２、操作情報管理部４０６、操作情報ＤＢ４０８、視聴情報生成部４１０、視聴情報管理部４１２、視聴情報ＤＢ４１４、視聴率算出部４２０、視聴率管理部４２２、視聴率ＤＢ４２４、提供枠管理部４３０、提供枠ＤＢ４３２、属性情報管理部４４０、属性情報ＤＢ４４２、視聴率解析部４５０および視聴率解析結果ＤＢ４５２から構成される。
図１６に示すように、オークションプログラム４８０は、ＵＩ部２２２、通信処理部２２４、会計処理部２２６、オークション処理部４８２およびオークション結果判定部４８４から構成される。
【００７５】
なお、図１５に点線で示すように、視聴率サーバプログラム４００に、オークション処理部４８２およびオークション結果判定部４８４を追加することにより、オークションサーバ４８の機能を、視聴率サーバ４０に含めることも可能である。
視聴率サーバプログラム４００は、これらの構成部分により、放送システム２（放送局）それぞれが放送・配信する番組の視聴率の算出およびその解析を、放送システム２の提供枠管理サーバ２２からの要求に応じて行い、これらの結果を、要求した提供枠管理サーバ２２に返す。
また、オークションプログラム４８０は、これらの構成部分により、提供枠管理サーバ２２からの要求を受けて、提供枠のオークションを行う。
【００７６】
図１７は、図１５に示した操作情報管理部４０６が管理する操作情報を示す図である。
視聴率サーバプログラム４００（図１５）において、処理制御部４０２は、視聴率サーバ４０の入出力装置１２６（図３）などに対するユーザの操作、あるいは、他のノードからのデータに従って、視聴率サーバプログラム４００の各構成部分の動作を制御する。
情報管理部４０６は、移動端末１４４それぞれから端末ＩＤが付された操作情報（図８）を受信し、操作情報ＤＢ４０８に記憶する。
つまり、操作情報管理部４０６は、図１７に示すように、移動端末１４４（視聴者）ごとに、操作情報を管理する。
また、操作情報管理部４０６は、要求に応じて、操作情報ＤＢ４０８に記憶した操作情報を、他の構成部分に対して出力する。
【００７７】
視聴情報生成部４１０は、提供枠管理サーバ２２から視聴率算出の要求があったときに、提供枠管理部４３０から、放送システム２（放送局）それぞれの提供枠情報（図１１）を受け、さらに、操作情報管理部４０６から操作情報（図１７）を受ける。
図８と図１１とを比較することにより理解されるように、移動端末１４４において、どのような操作が、どのような日時に行われたかと、放送システム２（放送局）の提供枠情報とを比較すると、視聴者それぞれが、いつ、どの放送システム２（放送局）のどの番組を視聴したか、あるいは、どの番組を、いつからいつまで録画する予約を行ったかを示す情報（視聴情報）を得ることができる。
視聴情報生成部４１０は、このような視聴情報を作成し、視聴情報管理部４１２に対して出力する。
【００７８】
図１８は、図１５に示した視聴情報生成部４１０が生成する視聴情報を示す図である。
なお、図１８に示すように、視聴情報は、移動端末１４４（視聴者）ごとに作成され、移動端末１４４（視聴者）それぞれの視聴情報には、端末ＩＤと、その移動端末１４４（視聴者）により視聴・予約された番組を示す１つ以上の情報（放送システム２（放送局）の識別子（放送局ＩＤ）、視聴・予約された番組、視聴・予約された時間（開始時間・終了時間））とが対応付けられて含まれる。
視聴情報管理部４１２は、視聴情報生成部４１０から入力された視聴情報を、視聴情報ＤＢ４１４に記憶する。
また、視聴情報管理部４１２は、記憶した視聴情報を、要求に応じて、他の視聴率サーバプログラム４００の構成部分に対して出力する。
【００７９】
視聴率算出部４２０（図１５）は、提供枠管理サーバ２２から視聴率算出の要求があったときに、視聴情報管理部４１２から移動端末１４４（視聴者）それぞれの視聴情報を得て、集計する。
つまり、視聴率算出部４２０は、各時点において、何らかの番組を視聴・予約した視聴者の総数と、個別の番組それぞれを視聴・予約した視聴者の数（個別視聴数）とを求め、個別視聴数を総数で除算することにより、個別の番組それぞれの視聴率、および、個別の番組の録画が予約された割合（予約率）を算出し、視聴率管理部４２２に対して出力する。
視聴率管理部４２２は、視聴率算出部４２０から入力された資料率を、視聴率ＤＢ４２４に記憶する。
【００８０】
図１９は、図１５に示した提供枠管理部４３０が管理する提供枠情報を示す図である。
提供枠管理部４３０は、放送システム２（放送局）それぞれの提供枠管理サーバ２２から提供枠情報（図１１）を受信し、提供枠ＤＢ４３２に記憶する。
つまり、提供枠管理部４３０は、図１９に示すように、放送システム２（放送局）ごとに、提供枠情報を管理する。
また、提供枠管理部４３０は、要求に応じて、記憶した提供枠情報を、視聴率サーバプログラム４００の他の構成部分に対して出力する。
【００８１】
図２０は、図１５に示した属性情報管理部４４０が管理する属性情報を示す図である。
属性情報管理部４４０は、移動端末１４４それぞれから、あるいは、ショップ端末３４から、移動端末１４４（視聴者）それぞれの属性情報（図７）を受信し、属性情報ＤＢ４４２に記憶する。
つまり、属性情報管理部４４０は、図２０に示すように、移動端末１４４（視聴者）ごとに、属性情報を管理する。
また、属性情報管理部４４０は、要求に応じて、記憶した属性情報を、視聴率サーバプログラム４００の他の構成部分に対して出力する。
【００８２】
視聴率解析部４５０は、提供枠管理サーバ２２から視聴率の解析が要求されたときに、属性情報管理部４４０から属性情報（図２０）を、視聴情報ＤＢ４１４から視聴情報（図１８）を得る。
視聴率解析部４５０は、視聴情報を、属性情報を用いて集計することにより、属性情報の項目ごと、あるいは、項目の組み合わせごとの視聴率を算出するなどの解析を行う。
視聴率解析部４５０は、視聴率の解析結果を視聴率解析結果ＤＢ４５２に記憶し、解析を要求した提供枠管理サーバ２２に対して送信する。
【００８３】
オークションサーバ４８（図１６）において、オークション処理部４８２は、提供枠管理サーバ２２からの要求に応じて、広告主端末２８に提供枠の情報（番組の内容、番組の視聴率および番組の録画予約率など）を表示させ、この表示に応じて、広告主端末２８に対してなされる入札を受け入れて、提供枠の提供者を募るオークションを行う。
また、オークション処理部４８２は、オークションの結果（提供枠を落札した広告主端末２８のユーザおよび落札額など）を示すデータを、オークションを要求した提供枠管理サーバ２２に返す。
オークション結果判定部４８４は、提供枠管理サーバ２２から受けたオークションの情報（オークション開催期間・希望落札価格など）と、広告主端末２８からの入札内容とを比較するなどの処理を行い、提供枠がいずれの広告主端末２８のユーザにより落札されたかを判定し、オークション処理部４８２に通知する。
【００８４】
図２１は、図１５に示した視聴率サーバプログラム４００の動作（Ｓ２４）を示す図である。
図２１に示すように、ステップ２４０（Ｓ２４０）において、処理制御部４０２は、移動端末１４４（図２）から操作情報（図８）が送られてきたか否かを判断する。
視聴率サーバプログラム４００は、操作情報が送られてきたときにはＳ２４２の処理に進み、これ以外のときにはＳ２５０の処理に進む。
ステップ２４２（Ｓ２４２）において、操作情報管理部４０６は操作情報を受け入れ、操作情報ＤＢ４０８に記憶する。
【００８５】
ステップ２５０（Ｓ２５０）において、処理制御部４０２は、提供枠管理サーバ２２から視聴率算出が要求されたか否かを判断する。
視聴率サーバプログラム４００は、視聴率算出が要求されたときにはＳ２５２の処理に進み、これ以外のときにはＳ２６０の処理に進む。
ステップ２５２（Ｓ２５２）において、視聴情報生成部４１０は、操作情報管理部４０６から操作情報（図１７）を、提供枠管理部４３０から提供枠情報（図１９）を得る。
ステップ２５４（Ｓ２５４）において、視聴情報生成部４１０は、得られた操作情報および提供枠情報から、視聴情報（図１８）を算出し、視聴情報管理部４１２に記憶する。
ステップ２５６（Ｓ２５６）において、視聴率算出部４２０は、視聴情報生成部４１０から視聴情報を得て、視聴率を算出し、視聴率算出を要求した提供枠管理サーバ２２に対して送信する。
【００８６】
ステップ２６０（Ｓ２６０）において、処理制御部４０２は、提供枠管理サーバ２２または移動端末１４４から、提供枠情報（図１１）または属性情報（図７）が送られてきたか否かを判断する。
視聴率サーバプログラム４００は、提供枠情報または属性情報が送られてきたときにはＳ２６２の処理に進み、これ以外のときにはＳ２７０の処理に進む。
ステップ２６２（Ｓ２６２）において、提供枠管理部４３０は、送られてきた提供枠情報を、図１９に示したように提供枠ＤＢ４３２に記憶し、あるいは、属性情報管理部４４０は、送られてきた属性情報を、図２０に示したように、属性情報ＤＢ４４２に記憶する。
【００８７】
ステップ２７０（Ｓ２７０）において、処理制御部４０２は、提供枠管理サーバ２２から、視聴率の解析が要求されたか否かを判断する。
視聴率サーバプログラム４００は、視聴率の解析が要求されたときにはＳ２７２の処理に進み、これ以外のときにはその他の処理（Ｓ２８０；提供枠管理サーバ２２からの手数料の受け取りなど）に進む。
ステップ２７２（Ｓ２７２）において、視聴率解析部４５０は、視聴情報管理部４１２から視聴情報（図１８）を得る。
ステップ２７４（Ｓ２７４）において、視聴率解析部４５０は、属性情報管理部４４０から属性情報（図２０）を得る。
ステップ２７６（Ｓ２７６）において、視聴率解析部４５０は、視聴情報を、属性情報を用いて集計するなど、視聴率に対する解析を行い、解析結果を記憶し、解析を要求した提供枠管理サーバ２２に対して送信する。
【００８８】
［ネットワークシステム１の全体的な動作］
以下、ネットワークシステム１の全体的な動作を説明する。
図２２は、ネットワークシステム１（図２）において、移動端末１４４が、視聴率サーバ４０に対して操作情報を送る処理（Ｓ３０）を示すシーケンス図である。
図２２に示すように、ステップ３００（Ｓ３００）において、移動端末１４４それぞれのユーザ（視聴者）は、移動端末１４４を用いて、ＴＶ・ビデオ１１２に対する操作を行う。
【００８９】
移動端末１４４は、ユーザの操作を記憶し、操作情報（図８）を作成する。
ステップ３０２（Ｓ３０２）において、視聴率サーバ４０へ操作情報を送信するための条件が揃うと、移動端末１４４それぞれは、視聴率サーバ４０に対して操作情報を送信する。
視聴率サーバ４０は、移動端末１４４からの操作情報を受信し、記憶する。
【００９０】
図２３は、ネットワークシステム１（図２）において、移動端末１４４から視聴率サーバ４０に対して属性情報を登録する処理（Ｓ３２）を示すシーケンス図である。
図２３に示すように、ステップ３２０（Ｓ３２０）において、移動端末１４４それぞれのユーザは、移動端末１４４に対して、属性を登録するための操作を行う。
【００９１】
ステップ３２２（Ｓ３２２）において、移動端末１４４ぞれぞれは、ユーザの操作を受け入れ、受け入れた操作が示す属性情報（図７）を、視聴率サーバ４０に対して送信する。
視聴率サーバ４０は、移動端末１４４からの属性情報を受信し、記憶する。
なお、図２３に点線で示すステップ３２４（Ｓ３２４）において、属性情報の登録の代償として、視聴率サーバ４０が、移動体通信システム１４との間で、属性を登録したユーザ（視聴者）の移動端末１４４による通信の費用を割り引くなどのサービスを提供するための処理を行ってもよい。
【００９２】
図２４は、ネットワークシステム１（図２）において、ショップ端末３４が属性情報を登録するための機能を有するときに、ショップ端末３４から視聴率サーバ４０に属性情報を登録する処理（Ｓ３４）を示すシーケンス図である。
図２４に示すように、ステップ３４０（Ｓ３４０）において、移動端末１４４のユーザ（視聴者）あるいはショップの店員は、ショップ端末３４に対して、属性情報を登録するための処理を行う。
【００９３】
ステップ３４２（Ｓ３４２）において、ショップ端末３４は、視聴率サーバ４０に対して、設定された属性情報を送信する。
視聴率サーバ４０は、この属性情報を受信し、記憶する。
ステップ３４４（Ｓ３４４）において、視聴率サーバ４０は、ショップ端末３４に対して、属性情報登録の手数料の支払いを行う。
なお、ショップがユーザに安価に移動端末１４４を提供したときに、ショップ端末３４と視聴率サーバ４０との間で、移動端末１４４を安価に販売した費用を補償するための処理（図示せず）などが、さらに行われてもよい。
【００９４】
図２５は、ネットワークシステム１（図２）における提供枠のオークション処理（Ｓ３６）を示すシーケンス図である。
図２５に示すように、ステップ３６０（Ｓ３６０）において、例えば、番組の延長あるいは特別番組の放送・配信が決定された時点で、放送設備２００から、提供枠管理サーバ２２に対して、これらに伴う新たな提供枠の発生およびその情報が送信される。
ステップ３６２（Ｓ３６２）において、提供枠管理サーバ２２は、視聴率サーバ４０に対して、新たな提供枠情報（図１１）を送信する。
視聴率サーバ４０は、この提供枠情報を受信し、記憶する。
【００９５】
ステップ３６４（Ｓ３６４）において、例えば、提供枠管理サーバ２２のユーザが、新たな提供枠のオークションを要求するための処理を行うと、提供枠管理サーバ２２は、オークションサーバ４８に対して、提供枠のオークションを要求し、必要な情報を送信する。
ステップ３６６（Ｓ３６６）において、オークションサーバ４８は、広告主端末２８それぞれに対して、提供枠のオークションが開催される旨を通知し、オークションへの入札のために必要な情報（番組の内容、番組の視聴率および番組の録画予約率など）を送信する。
ステップ３６８（Ｓ３６８）において、広告主端末２８が、提供枠の情報（番組の内容、番組の視聴率および番組の録画予約率など）を表示し、この表示に応じて、広告主端末２８のユーザが、オークションへの入札のための操作を行うと、広告主端末２８は、オークションサーバ４８に対して、オークションへの入札を通知し、提供枠の入札価格など、入札に必要な情報を送信する。
【００９６】
ステップ３７０（Ｓ３７０）において、オークションサーバ４８は、オークションの終了時刻が来たり、あるいは、提供枠の入札価格が、希望落札価格に達したりしたときなどに、オークションを終了する。
さらに、オークションサーバ４８は、オークションの結果（落札者および落札価格を示す情報など）を、オークションを要求した提供枠管理サーバ２２に対して送信する。
ステップ３７２（Ｓ３７２）において、オークションサーバ４８は、オークションの結果を、落札者の広告主端末２８に対して送信する。
ステップ３７４（Ｓ３７４）において、提供枠管理サーバ２２は、落札された提供枠に、落札者の広告を挿入するなどの処理を行う。
【００９７】
ステップ３７６（Ｓ３７６）において、提供枠管理サーバ２２は、オークションサーバ４８に対して、要求したオークションの手数料を支払う。
ステップ３７８（Ｓ３７８）において、広告主端末２８は、提供枠管理サーバ２２に対して、落札した提供枠を提供するための費用を支払う。
【００９８】
図２６は、ネットワークシステム１（図２）において、提供枠管理サーバ２２が視聴率サーバ４０に対して視聴率の算出を要求して、算出結果を得る処理（Ｓ４０）を示すシーケンス図である。
図２６に示すように、ステップ４００（Ｓ４００）において、提供枠管理サーバ２２は、視聴率サーバ４０に対して、番組それぞれの視聴率の算出を要求する。
ステップ４０２（Ｓ４０２）において、視聴率サーバ４０は、要求に応じて視聴率を算出し、その結果を、提供枠管理サーバ２２に返す。
ステップ４０４（Ｓ４０４）において、提供枠管理サーバ２２は、視聴率サーバ４０に対して、視聴率算出の手数料を支払う。
【００９９】
図２７は、ネットワークシステム１（図２）において、提供枠管理サーバ２２が視聴率サーバ４０に対して視聴率の解析を要求して、解析結果を得る処理（Ｓ４２）を示すシーケンス図である。
図２７に示すように、ステップ４２０（Ｓ４２０）において、提供枠管理サーバ２２は、視聴率サーバ４０に対して、視聴率の解析を要求する。
ステップ４２２（Ｓ４２２）において、視聴率サーバ４０は、要求に応じて視聴率の解析を行い、その結果を、提供枠管理サーバ２２に返す。
ステップ４２４（Ｓ４２４）において、提供枠管理サーバ２２は、視聴率サーバ４０に対して、視聴率解析の手数料を支払う。
【０１００】
［用語など］
なお、以上の説明において、「放送番組」は、地上波により放送されるか、衛星放送されるか、有線放送されるか、あるいは、インターネットを介して配信されるかなど、放送の形式・形態を問われず、また、「放送番組」は、単に「番組」とも記されている。
また、１つ以上の番組が放送される時間帯それぞれ、あるいは、１つ以上の番組が放送される時間帯の部分は、「提供枠」と記されている。
また、放送に用いられるチャンネルは、地上波の放送チャンネルであるか、衛星波の放送チャンネルであるか、有線放送のチャンネルであるか、あるいは、インターネットの配信チャンネルであるかなどは問わない。
【０１０１】
また、異なった記号（Ａ社，Ｂ社など）で示される提供者・時刻などは、同じ記号が同じ提供者を示す場合と、同じ記号が異なった提供者を示す場合とがあるが、これらは、図示および説明の複雑化を避けるために、特に必要ない限り区別されていない。
また、以下、記号ｎは、単に１以上の整数を示し、記号ｎが複数あるときには、全ての記号ｎが同じ数を示すとは限られない。
また、図１などを参照して後述するネットワークシステム１およびその構成要素の動作の説明は、基本的に正常動作について行われている。
また、各図において、同様な機能を有する部分には、同じ符号が付されている。
【産業上の利用可能性】
【０１０２】
本発明は、視聴率の算出などのデータ処理のために利用可能である。
【図面の簡単な説明】
【０１０３】
【図１】ある放送予定に生じる変更を例示する図であって、（Ａ）は、ある放送番組が延長された場合を例示し、（Ｂ）は、特別番組が放送される場合を例示する。
【図２】本発明にかかるネットワークシステムの構成を例示する図である。
【図３】図１に示したネットワークシステムの各ノードのハードウエアを示す図である。
【図４】図２に示したＴＶ・ビデオ装置に対する操作と、これらの操作が行われた時刻とを対応付けて例示する図であって、（Ａ）は番組を視聴するための操作を示し、（Ｂ）は番組録画を予約するための操作を示す。
【図５】図２に示した移動体通信システムのＧＷＳにおいて実行されるＧＷプログラムを示す図である。
【図６】図２に示したオンラインのＴＶ・ビデオ装置および移動端末において実行される端末プログラムを示す図である。
【図７】図６に示した端末プログラムの送信・受信処理が管理する属性情報を示す図である。
【図８】図６に示した端末プログラム１６の操作情報管理部１７２が管理する操作情報を示す図である。
【図９】図６に示した端末プログラムの動作（Ｓ１０）を示すフローチャートである。
【図１０】図２に示した提供枠管理サーバ上で動作する提供枠管理プログラムを示す図である。
【図１１】図１０に示した提供枠管理サーバそれぞれの提供枠管理部が生成する提供枠情報を示す図である。
【図１２】図１０に示した提供枠管理プログラムの動作（Ｓ１６）を示すフローチャートである。
【図１３】図２に示した広告主端末上で動作する広告主端末プログラムを示す図である。
【図１４】図２に示したショップ端末上で動作するショップ端末プログラムの構成を示す図である。
【図１５】図２に示した視聴率サーバ上で動作する視聴率サーバプログラムを示す図である。
【図１６】図２に示したオークションサーバ上で動作するオークションプログラムを示す図である。
【図１７】図１５に示した操作情報管理部が管理する操作情報を示す図である。
【図１８】図１５に示した視聴情報生成部が生成する視聴情報を示す図である。
【図１９】図１５に示した提供枠管理部が管理する提供枠情報を示す図である。
【図２０】図１５に示した属性情報管理部が管理する属性情報を示す図である。
【図２１】図１５に示した視聴率サーバプログラムの動作（Ｓ２４）を示す図である。
【図２２】ネットワークシステム（図２）において、移動端末が、視聴率サーバに対して操作情報を送る処理（Ｓ３０）を示すシーケンス図である。
【図２３】ネットワークシステム（図２）において、移動端末から視聴率サーバに対して、属性情報を登録する処理（Ｓ３２）を示すシーケンス図である。
【図２４】ネットワークシステム（図２）において、ショップ端末が属性情報を登録するための機能を有するときに、ショップ端末から視聴率サーバに属性情報を登録する処理（Ｓ３４）を示すシーケンス図である。
【図２５】ネットワークシステム（図２）における提供枠のオークション処理（Ｓ３６）を示すシーケンス図である。
【図２６】ネットワークシステム（図２）において、提供枠管理サーバが視聴率サーバに対して視聴率の算出を要求して、算出結果を得る処理（Ｓ４０）を示すシーケンス図である。
【図２７】ネットワークシステム（図２）において、提供枠管理サーバが視聴率サーバに対して視聴率の解析を要求して、解析結果を得る処理（Ｓ４２）を示すシーケンス図である。
【符号の説明】
【０１０４】
１・・・ネットワークシステム、
１１０，１１２・・・ＴＶ・ビデオ、
１４・・・移動体通信システム、
１４０・・・移動体ネットワーク、
１４２・・・ＧＷＳ、
１２０・・・本体、
１２２・・・ＣＰＵ、
１２４・・・メモリ、
１２６・・・入出力装置、
１２８・・・通信装置、
１３０・・・機能実現部、
１３２・・・記録装置、
１３４・・・記録媒体、
１５０・・・ＧＷプログラム、
１５２，１５６・・・通信処理部、
１５４・・・方式変換部、
１４４，１４６・・・移動端末、
１６・・・端末プログラム、
１６０・・・端末制御部、
１６２・・・ＵＩ部、
１６４・・・送信・受信処理、
１６６・・・視聴・予約操作受入部、
１６８・・・属性情報管理部、
１７０・・・属性情報ＤＢ、
１７２・・・操作情報管理部、
１７４・・・操作情報ＤＢ、
１７６・・・操作・属性情報送信部、
１７８・・・ＴＶ・ビデオ操作部、
１８・・・番組提供システム、
２・・・放送システム、
２００・・・放送設備、
２０２・・放送設備操作端末、
２２・・・提供枠管理サーバ、
２２０・・・提供枠管理プログラム、
２２２・・・ＵＩ部、
２２４・・・通信処理部、
２２６・・・会計処理部、
２２８・・・処理制御部、
２３０・・・提供枠管理部、
２３２・・・提供枠ＤＢ、
２３４・・・オークション要求処理部、
２３６・・・オークション結果処理部、
２３８・・・広告処理部、
２４０・・・視聴率管理部、
２４２・・・視聴率ＤＢ、
２８・・・広告主端末、
２８０・・・広告主端末プログラム、
２８２・・・メール・ブラウザ部、
２９０・・・オークション入札処理部、
３２・・・広告会社端末、
３４・・・ショップ端末、
３４０・・・ショップ端末プログラム、
３４２・・・属性情報作成部、
４０・・・視聴率サーバ、
４００・・・視聴率サーバプログラム、
４０２・・・処理制御部、
４０６・・・操作情報管理部、
４０８・・・操作情報ＤＢ、
４１０・・・視聴情報生成部、
４１２・・・視聴情報管理部、
４２０・・・視聴率算出部、
４２２・・・視聴率管理部、
４２４・・・視聴率ＤＢ、
４３０・・・提供枠管理部、
４３２・・・提供枠ＤＢ、
４４０・・・属性情報管理部、
４４２・・・属性情報ＤＢ、
４５０・・・視聴率解析部、
４５２・・・視聴率解析結果ＤＢ、
４８・・・オークションサーバ。
４８０・・・オークションプログラム、
４８２・・・オークション処理部、
【図１】
2006080840.tif 000003
【図２】
2006080840.tif 000004
【図３】
2006080840.tif 000005
【図４】
2006080840.tif 000006
【図５】
2006080840.tif 000007
【図６】
2006080840.tif 000008
【図７】
2006080840.tif 000009
【図８】
2006080840.tif 000010
【図９】
2006080840.tif 000011
【図１０】
2006080840.tif 000012
【図１１】
2006080840.tif 000013
【図１２】
2006080840.tif 000014
【図１３】
2006080840.tif 000015
【図１４】
2006080840.tif 000016
【図１５】
2006080840.tif 000017
【図１６】
2006080840.tif 000018
【図１７】
2006080840.tif 000019
【図１８】
2006080840.tif 000020
【図１９】
2006080840.tif 000021
【図２０】
2006080840.tif 000022
【図２１】
2006080840.tif 000023
【図２２】
2006080840.tif 000024
【図２３】
2006080840.tif 000025
【図２４】
2006080840.tif 000026
【図２５】
2006080840.tif 000027
【図２６】
2006080840.tif 000028
【図２７】
2006080840.tif 000029